(57)【要約】      （修正有）【課題】容易に収納したり清掃したりすることができるバーベキューグリル棚構造を提供する。【解決手段】バーベキューグリル棚構造は、炭受け部１０、搭載棚、ベース３０及びグリル用網４０を備える。炭受け部１０は、受け槽１１を含む。受け槽１１は、グリル用網４０を収納するための対をなして内方へ延びたスライドレール１４を両側端に有する。シャッター１６１のチャネル１６が後部に結合される。搭載棚の２つの斜め支持アーム２１には、炭受け部１０を枢着する枢着槽２０１が設けられ、下端には、提口２３１を有する接合板２３が接合される。２つの斜め支持アーム及び受け槽の２つの側壁が対応する箇所に枢着孔１２と、回転軸アセンブリ５０とを組み合わせる。受け槽１１は、搭載棚の枢着槽２０１中に枢着される。【選択図】図１
0003190724.tif 000002
【実用新案登録請求の範囲】
【請求項１】
炭受け部、搭載棚、ベース及びグリル用網を備えたバーベキューグリル棚構造であって、
上記炭受け部は受け槽を含み、受け槽は、グリル用網を収納するために用いる対をなして内方へ延びたスライドレールを両側端に有し、シャッターのチャネルが後部に結合され、
上記搭載棚の２つの斜め支持アームには、炭受け部を枢着する枢着槽が設けられ、２つの斜め支持アームの下端には提口を有する接合板が接合され、搭載棚の２つの斜め支持アーム及び受け槽の２つの側壁が対応する箇所に枢着孔と、回転軸アセンブリとを組み合わせ、受け槽は搭載棚の枢着槽中に枢着され、斜め支持アーム上部の側面には、互いに対応した第１の係止孔、第２の係止孔及び第３の係止孔が形成されるとともに弧状に配列され、両端に係合部を有する位置決め軸管を係合させるとともに、炭受け部の受け槽両側には、位置決め軸管の係合部を挿入する係止孔が対応して形成され、
上記ベースの端面に提口が設けられ、その提口端面の所定の四隅に、前ベース孔、後ベース孔がそれぞれ形成され、搭載棚の２つの斜め支持アームの底端両側から延びた前ベース脚及び後ベース脚が前ベース孔、後ベース孔に挿設され、ベースの底部両側辺には、枠形状案内溝が凹設され、２つの斜め支持アームの前方外側辺には、嵌合する嵌合部が延設され、搭載棚の２つの斜め支持アームの側壁辺には、第１の係止孔、第２の係止孔及び第３の係止孔のうちの一つに、炭受け部の壁孔と位置決め軸管の係合部に係合され、炭受け部が搭載棚で位置決めされて展開され、平面状にしてバーベキューグリルとして使用したり、斜めに倒して廃炭を排出したり、垂直状に折り畳んで収納する際の占有空間を小さくすることを特徴とするバーベキューグリル棚構造。
【請求項２】
前記炭受け部の受け槽は、前が低くて後ろが高くて複数の補強凸面を底面に有する受け槽を含み、炭受け部の上方には、炉蓋が配置され、炉蓋は、通気部を有するカバー面を含むとともに、炉蓋の両側端には、枢着孔を有する枢着ブロックと、枢着部材とが取り付けられ、炭受け部の両側には、対応した斜め支持アームの第２の係止孔が形成され、この構成により炉蓋の枢着ブロックを壁孔へ係合させ、炉蓋の側辺中央部には、感温フォークのハンドルを着脱自在に挿入可能な設置孔が形成されていることを特徴とする請求項１に記載のバーベキューグリル棚構造。
【請求項３】
前記搭載棚の２つの斜め支持アームには複数の造形孔が形成され、２つの斜め支持アームの後ベース脚の側部には、曲げられるとともに接合面に接合板が螺設され、接合面の頂端には内向きに横接面が形成され、接合板の両側には、被接合面が延設され、接合板の頂端が曲げられて横接面と接合される被横接合面が形成され、搭載棚の２つの斜め支持アームの後方側部が曲げられ、テーブルプレートを嵌合させて使用する嵌合部を有することを特徴とする請求項１に記載のバーベキューグリル棚構造。
【請求項４】
前記回転軸アセンブリは、位置決めパッド、スクリューキャップ及びナットにより構成され、
前記位置決め軸管は、管面に設けた対をなす長孔に、凸状の制動ブロックの突出端を挿設し、２つの制動ブロック間で圧縮スプリングを挟持し、２つの横杆が制動ブロックに接続され、制動ブロックの凸状端は、長孔から突出され、内向きに作動して圧縮スプリングに当接され、２つの横杆を同時に内向きに作動させ、係合部を管内へ押し込むと、２つの斜め支持アームの各係止孔及び受け槽両側の壁孔から外れることを特徴とする請求項１に記載のバーベキューグリル棚構造。
【考案の詳細な説明】
【技術分野】
【０００１】
本考案は、バーベキューグリル棚構造に関し、特に、容易に収納したり清掃したりすることができるバーベキューグリル棚構造に関する。
【背景技術】
【０００２】
一般の大型直立式バーベキューグリル棚は、固定式である上体積が大きいため、収納が容易でなく占有空間が大きくて運搬が不便であったため、これらの欠点を改善することができるバーベキューグリル棚構造が求められていた。
【考案の概要】
【考案が解決しようとする課題】
【０００３】
本考案の目的は、炭受け部及び搭載棚をベースと組み合わせてＺ字状の棚を構成し、搭載棚を利用して２つの斜め支持アームの可動自在の固定支点により、炭受け部を自在に調整して位置決めを行い、搭載棚の２つの斜め支持アーム間で展開して平面状にして使用したり、斜めに倒して廃炭を排出したり、垂直状に折り畳んで使用状態又は収納状態へ容易に変化させることができるバーベキューグリル棚構造を提供することにある。
本考案のもう一つの目的は、炉蓋上にフリップ式炉蓋と、感温フォークを有するハンドルと、を有し、グリル後の食物を保温したり埃がかかることを防ぐとともに、感温フォークを握持して食材の焼け具合を判断し、搭載棚の２つの斜め支持アーム後方に、食材又は用具を置くことができる多機能型の複合式バーベキューグリル棚構造を提供することにある。
【課題を解決するための手段】
【０００４】
上記課題を解決するために、本考案の第１の形態によれば、炭受け部、搭載棚、ベース及びグリル用網を備えたバーベキューグリル棚構造であって、炭受け部は、受け槽を含み、受け槽は、グリル用網を収納するために用いる、対をなして内方へ延びたスライドレールを両側端に有し、シャッターのチャネルが後部に結合され、搭載棚の２つの斜め支持アームには、炭受け部を枢着する枢着槽が設けられ、２つの斜め支持アームの下端には、提口を有する接合板が接合され、搭載棚の２つの斜め支持アーム及び受け槽の２つの側壁が対応する箇所に枢着孔と、回転軸アセンブリとを組み合わせ、受け槽は、搭載棚の枢着槽中に枢着され、斜め支持アーム上部の側面には、互いに対応した第１の係止孔、第２の係止孔及び第３の係止孔が形成されるとともに弧状に配列され、両端に係合部を有する位置決め軸管を係合させるとともに、炭受け部の受け槽両側には、位置決め軸管の係合部を挿入する係止孔が対応して形成され、ベース端面に、提口が設けられ、その提口端面の所定の四隅に、前ベース孔、後ベース孔がそれぞれ形成され、搭載棚の２つの斜め支持アームの底端両側から延びた前ベース脚及び後ベース脚が前ベース孔、後ベース孔に挿設され、ベースの底部両側辺には、枠形状案内溝が凹設され、２つの斜め支持アームの前方外側辺には、嵌合する嵌合部が延設され、搭載棚の２つの斜め支持アームの側壁辺には、第１の係止孔、第２の係止孔及び第３の係止孔のうちの一つに、炭受け部の壁孔と位置決め軸管の係合部に係合され、炭受け部が搭載棚で位置決めされて展開され、平面状にしてバーベキューグリルとして使用したり、斜めに倒して廃炭を排出したり、垂直状に折り畳んで収納する際の占有空間を小さくすることを特徴とするバーベキューグリル棚構造が提供される。
【０００５】
炭受け部の受け槽は、前が低くて後ろが高くて複数の補強凸面を底面に有する受け槽を含み、炭受け部の上方には、炉蓋が配置され、炉蓋は、通気部を有するカバー面を含むとともに、炉蓋の両側端には、枢着孔を有する枢着ブロックと、枢着部材とが取り付けられ、炭受け部の両側には、対応した斜め支持アームの第２の係止孔が形成され、この構成により炉蓋の枢着ブロックを壁孔へ係合させ、炉蓋の側辺中央部には、感温フォークのハンドルを着脱自在に挿入可能な設置孔が形成されていることが好ましい。
【０００６】
搭載棚の２つの斜め支持アームには、複数の造形孔が形成され、２つの斜め支持アームの後ベース脚の側部には、曲げられるとともに接合面に接合板が螺設され、接合面の頂端には、内向きに横接面が形成され、接合板の両側には、被接合面が延設され、接合板の頂端が曲げられて横接面と接合される被横接合面が形成され、搭載棚の２つの斜め支持アームの後方側部が曲げられ、テーブルプレートを嵌合させて使用する嵌合部を有することが好ましい。
【０００７】
回転軸アセンブリは、位置決めパッド、スクリューキャップ及びナットにより構成され、位置決め軸管は、管面に設けた対をなす長孔に、凸状の制動ブロックの突出端を挿設し、２つの制動ブロック間で圧縮スプリングを挟持し、２つの横杆が制動ブロックに接続され、制動ブロックの凸状端は、長孔から突出され、内向きに作動して圧縮スプリングに当接され、２つの横杆を同時に内向きに作動させ、係合部を管内へ押し込むと、２つの斜め支持アームの各係止孔及び受け槽両側の壁孔から外れることが好ましい。
【図面の簡単な説明】
【０００８】
【図１】本考案の一実施形態に係るバーベキューグリル棚構造を示す分解斜視図である。
【図２】本考案の一実施形態に係るバーベキューグリル棚構造を示す斜視図である。
【図３】本考案の一実施形態に係るバーベキューグリル棚構造を示す部分拡大図である。
【図４】本考案の一実施形態に係るバーベキューグリル棚構造の位置決め軸管を示す動作図である。
【図５】本考案の一実施形態に係るバーベキューグリル棚構造を使用しているときの状態を示す模式図である。
【図６】本考案の一実施形態に係るバーベキューグリル棚構造を傾けて廃炭を排出するときの状態を示す模式図である。
【図７】本考案の一実施形態に係るバーベキューグリル棚構造を折り畳んだときの状態を示す側面図である。
【図８】本考案の一実施形態に係るバーベキューグリル棚構造を示す分解斜視図である。
【図９】本考案の他の実施形態に係るバーベキューグリル棚構造を示す分解斜視図である。
【考案を実施するための形態】
【０００９】
以下、本考案の実施形態について図に基づいて説明する。なお、これによって本考案が限定されるものではない。
【００１０】
図１〜図３を参照する。図１は、本考案の一実施形態に係るバーベキューグリル棚構造を示す分解斜視図である。図２は、本考案の一実施形態に係るバーベキューグリル棚構造を示す斜視図である。図３は、本考案の一実施形態に係るバーベキューグリル棚構造を示す部分拡大図である。
図１〜図３に示すように、本考案の一実施形態に係るバーベキューグリル棚構造は、Ｚ字状棚により構成され、炭受け部１０、搭載棚２０、ベース３０及びグリル用網４０を含む。炭受け部１０は、前が低くて後ろが高い受け槽１１を含む。受け槽１１は、グリル用網４０を収納するために用いる、対をなして内方へ水平に延びたスライドレール１４を両側の長側壁に有し、補強凸面１５を底面に有し、シャッター１６１のチャネル１６が後部に結合され、搭載棚２０の斜め支持アーム２１には、複数の造形孔２２が形成され、上から下方にかけて徐々に縮小しながら延びて錐形面を呈する前ベース脚２６及び後ベース脚２６’が両側に形成される。
後ベース脚２６’の側辺には、垂直に曲げられるとともに複数の接合孔２６３を有する接合面２６２に、傾斜面を呈する接合板２３が螺着される。接合面２６２の頂端には、内向きに短めの横接面２６４が垂直に形成され、接合板２３の両側には、段差状の被接合面２３２が延設される。
被接合面２３２には、接合面２６２の各接合孔２６３と対をなすように複数の被接合孔２３３が形成される。接合板２３は、提口２３１を中央部に有し、適宜な長さの横接面２３４を頂端に有する。
２つの斜め支持アーム２１間は、接合板２３により段差状を呈する２つの被接合面２３２が、後ベース脚２６’の接合面２６２に内貼され、接合孔２６３と被接合孔２３３とを結合させて位置決めするとともに、接合面２６２及び接合板２３の頂端の２つの横接面２６４，２３４を接合して平坦状に形成して横向補強面を形成する。２つの斜め支持アーム２１間には、炭受け部１０を枢着させるための上向きコ字状の枢着槽２０１が形成される。
搭載棚２０の２つの斜め支持アーム２１及び受け槽１１の２つの長い側壁が対応するように枢着孔２４，１２と、回転軸アセンブリ５０とを組み合わせる。回転軸アセンブリ５０は、位置決めパッド５１、スクリューキャップ５２及びナット５３により構成される。
この炭受け部１０の受け槽１１は、搭載棚２０の枢着槽２０１中に枢着され、受け槽１１の枢着孔１２が斜め支持アーム２１の枢着孔２４に対応され、回転軸アセンブリ５０をそれぞれに組み合わせて枢着状態を形成する。
２つの斜め支持アーム２１上部の側部には、互いに対応した第１の係止孔２５、第２の係止孔２５’及び第３の係止孔２５’’が形成されるとともに弧状に配列されて係合部２８１の位置決め軸管２８の両端を対応させて係合する。
炭受け部１０の受け槽１１両側には、位置決め軸管２８の係合部２８１を挿入する係止孔２５，２５’，２５’’が対応して形成され、壁孔１３まで延びる。位置決め軸管２８は、管面に設けた対をなす長孔２８２に、凸状の制動ブロック２８３の突出端を挿設し、２つの制動ブロック２８３間で圧縮スプリング２８４を挟持し、２つの横杆２８５が制動ブロック２８３に接続される。
制動ブロック２８３の凸状端は、長孔２８２から突出され、内向きに作動して圧縮スプリング２８４に当接され、２つの横杆２８５を同時に内向きに作動させ、係合部２８１を管内へ押し込むと、２つの斜め支持アーム２１の各係止孔２５，２５’，２５’’及び受け槽１１両側の壁孔１３を外し、位置決め軸管２８の両側係合部２８１を自在に調整して係止孔２５，２５’，２５’’中へ係合して壁孔１３へ挿入し、可動自在の固定支点を形成する。
ベース３０は、枠状を呈し、端面３１の四隅に、搭載棚２０の２つの斜め支持アーム２１底端に形成されたベース脚２６，２６’をそれぞれ挿着させ、端面３１の側面に提口３３を形成する。ベース３０の底部両側辺には、枠形状案内溝３４が凹設され、２つの斜め支持アーム２１の前方外側には、嵌合する水平状の嵌合部２７が延設され、前ベース孔３２と提口３３とを組み合わせて前ベース脚２６を嵌合させるために、滑り止め用のワッシャ３２１，３３１が挿設される。後ベース孔３２’の隣接した箇所には、後ベース脚２６’を安全に螺着するために用いる挿入口３５と、Ｔ字状であるとともに、頂面にストッパ面３６１を有する推動ブロック３６と、長形状で側端にテーパー辺３７１が形成された係合ブロック３７と、複数の螺合部材３８とが組み合わされている。
係合ブロック３７は、中段部に複数の埋孔３７２が形成され、推動ブロック３６は、埋孔３７２に対応した箇所に設けられたねじ孔３６２により、推動ブロック３６を挿入口３５中のストッパ面３６１で受けて係合ブロック３７を挿入口３５の底部へ設置し、螺合部材３８により埋孔３７２とねじ孔３６２とを螺着し、推動ブロック３６により挿入口３５中で係合ブロック３７を移動させ、後ベース脚２６’の底端の側辺部に、係合ブロック３７の側辺端に対応して係合される係止孔２６１が切設される。
【００１１】
実際に使用する際、搭載棚２０の２つの斜め支持アーム２１のベース脚２６，２６’をベース３０のベース孔３２，３２’へ挿入し、底面の挿入口３５の推動ブロック３６を一側へ押圧し、推動ブロック３６を底部の係合ブロック３７へ連結させ、後ベース脚２６’へ向けて移動させ、係合ブロック３７のテーパー辺３７１を後ベース脚２６’の底端の係止孔２６１に螺着させ、位置決め軸管２８により係合構造を伸縮させ（図４参照）、位置決め軸管２８の両側に設けられた係合部２８１を搭載棚２０の第１の係止孔２５中へ嵌合させ、炭受け部１０の両側に形成された壁孔１３へ挿入して係合させ、炭受け部１０を平面状で搭載棚２０の枢着槽２０１間へ位置決めさせ、 前が低くて後ろが高い形状にしてグリル用網４０と受け槽１１との間の異なる高低差により、炭火により温められる温度を変化させ（図５参照）、受け槽１１前方の低めの領域に置いた食材をグリルし、後方の高めの領域に置いた食物を保温する。
【００１２】
使用しないときは、位置決め軸管２８を伸縮させる係合構造により、位置決め軸管２８両側の係合部２８１を搭載棚２０の第２の係止孔２５’へ挿入して炭受け部１０の両側に形成された壁孔１３へ係合させ、炭受け部１０の前方を上昇させる一方、後方を下降させて傾け、搭載棚２０の枢着槽２０１間に位置決めさせる（図６参照）。このとき炭受け部１０の後側部に設けたチャネル１６のシャッター１６１を開け、受け槽１１内に溜まった廃炭を傾けて排出させ、ベース３０底部の枠形状案内溝３４を２つの斜め支持アーム２１の側辺の嵌合部２７へ平行に嵌合させ、位置決め軸管２８の伸縮係合構造により位置決め軸管２８の両側に設けた係合部２８１を搭載棚２０の第３の係止孔２５’’へ嵌合させ、炭受け部１０両側の壁孔１３に係合させ、炭受け部１０を垂直に畳んで搭載棚２０の２つの斜め支持アーム２１間に位置決めさせ（図７参照）、バーベキューグリル棚の体積を小型化して占有空間を小さくする。
【００１３】
図８を参照する。図８に示すように、搭載棚２０は、２つの斜め支持アーム２１後方の外側辺に適宜な長さの嵌合部２７’を有し、器具及び食物を簡便に置くことができるように、嵌合溝６２の支持アーム６１のテーブルプレート６０を嵌合させて使用することができる。
【００１４】
図９を参照する。図９に示すように、炭受け部１０の上方には、炉蓋７０が配置される。この炉蓋７０は、弧凸状の頂面を呈し、通気部７１１を有するカバー面７１を含むとともに、炉蓋７０の両側には、枢着孔７２１を有する枢着ブロック７２と、枢着部材７２２とが取り付けられる。炭受け部１０の両側には、対応した斜め支持アーム２１の第２の係止孔２５’が形成され、この構成により炉蓋７０の枢着ブロック７２を壁孔１７へ係合させる。炉蓋７０の側辺には、感温フォーク７４１のハンドル７４を着脱自在に挿入可能な設置孔７３が形成され、この構成により炉蓋７０で炭受け部１０上を覆い、枢着ブロック７２の枢着孔７２１と炭受け部１０の壁孔１７とを対応させ、枢着部材７２２を枢着させ、炉蓋７０の前部に係合したハンドル７４により炉蓋７０を開いたり閉じたりすることが可能なフリップ式カバーに設計し、埃が入ることを防ぐとともに保温効果を得ることができる。
【００１５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  炭受け部
１１  受け槽
１２  枢着孔
１３  壁孔
１４  スライドレール
１５  補強凸面
１６  チャネル
１７  壁孔
２０  搭載棚
２１  斜め支持アーム
２２  造形孔
２３  接合板
２４  枢着孔
２５  第１の係止孔
２５’  第２の係止孔
２５’’  第３の係止孔
２６  前ベース脚
２６’  後ベース脚
２７  嵌合部
２７’  嵌合部
２８  位置決め軸管
３０  ベース
３１  端面
３２  前ベース孔
３２’  後ベース孔
３３  提口
３４  枠形状案内溝
３５  挿入口
３６  推動ブロック
３７  係合ブロック
３８  螺合部材
４０  グリル用網
５０  回転軸アセンブリ
５１  位置決めパッド
５２  スクリューキャップ
５３  ナット
６０  テーブルプレート
６１  支持アーム
６２  嵌合溝    
７０  炉蓋
７１  カバー面
７２  枢着ブロック
７３  設置孔
７４  ハンドル
１６１  シャッター
２０１  枢着槽
２３１  提口
２３２  被接合面
２３３  被接合孔
２３４  横接面
２６１  係止孔
２６２  接合面
２６３  接合孔
２６４  横接面
２８１  係合部
２８２  長孔
２８３  制動ブロック
２８４  圧縮スプリング
２８５  横杆
３２１  ワッシャ
３３１  ワッシャ
３６１  ストッパ面
３６２  ねじ孔
３７１  テーパー辺
３７２  埋孔
７１１  通気部
７２１  枢着孔
７２２  枢着部材
７４１  感温フォーク
【図１】
0003190724.tif 000003
【図２】
0003190724.tif 000004
【図３】
0003190724.tif 000005
【図４】
0003190724.tif 000006
【図５】
0003190724.tif 000007
【図６】
0003190724.tif 000008
【図７】
0003190724.tif 000009
【図８】
0003190724.tif 000010
【図９】
0003190724.tif 000011